(57)【特許請求の範囲】
【請求項１】
キャビネット本体内部に、複数の引出し本体を上下に配するとともに、施開錠操作に応じて、キャビネット本体の側板に沿って配置された作動板を上下に移動させ、作動板内面に突設したストッパ片を、引出し本体に設けた係止部に係脱させることによって、一括して施錠または開錠可能とした引出しのロック装置において、
キャビネット側板内面に、上下方向を向く凹入溝と、この凹入溝の前方位置に形成された凹部とを有するロック装置収容空間を形成するとともに、
作動板を、引出し本体の係止部に係脱可能な複数のストッパ片が内方に向かって突設された上下方向に長寸の基部と、この基部から前方に向かって延設されたアーム部とによって構成し、このアーム部に、鍵装置の施開錠操作に応じて出没する係止突片の左右方向の動作を上下方向の動作として変換して伝達する変換機構部を連係しうるように組み付け、かつ
作動板、変換機構部を、前記ロック装置収容空間に内方から嵌合して、作動板を凹入溝、変換機構部を凹部にそれぞれ収容して取付けうるようにし、さらに作動板のアーム部先端の左右面を、凹部底面と変換機構部の左右方向の外側面と近接、もしくは当接させて、それらの二面間を摺動可能として挾持するとともに、変換機構部に設けた係止部を、凹部に設けた被係止部に係止することによって、変換機構部で作動板を側板内面に取り付けたことを特徴とする引出しのロック装置。
【請求項２】
作動板の基部、およびストッパ片を板金によって構成するとともに、アーム部を合成樹脂によって構成し、基部に設けた係止部に、アーム部に設けた被係止部を係止することによって、作動板を一体的に構成した請求項１記載の引出しのロック装置。
【請求項３】
各収容部の凹部と凹入溝とが前後に離間して配置されているとともに、凹入溝と凹部とを連通溝で連通し、かつこの連通溝に作動板のアーム部を嵌入して、凹部内に収容された変換機構部に連係しうるようにした請求項１または２に記載の引出しのロック装置。
【請求項４】
変換機構部の外側面から内側面に向かって挿通孔が穿設されているとともに、この挿通孔内に、変換機構部に設けられた前後方向を向く枢軸廻りに回動可能な平板状の回動カムを配置し、かつこの回動カムに設けた突片を、作動板のアーム部先端に設けた左右方向に向く長孔に係合させて、回動カムの一側面に挿通孔内に挿入した鍵装置の係止突片を当接させることにより、施開錠時に、回動カムを回動させ、作動板のアーム部が上下動されるようにした請求項１〜３のいずれかに記載の引出しのロック装置。
【請求項５】
挿通孔の前後幅と、鍵装置の係止突片の前後寸法をほぼ同寸とした請求項４記載の引出しのロック装置。
【発明の詳細な説明】
【技術分野】
【０００１】
本発明は、キャビネットやワゴンなどにおいて、上下方向に多段状に設けられた複数の引出しを、一括して施開錠しうる引出しのロック装置に関する。
【背景技術】
【０００２】
例えばオフィス等の執務空間で使用される引出し式キャビネットにおいては、１つの鍵装置によって、上下方向に多段状に設けた複数の引出し本体が、一括して施開錠されるようなロック装置を備えたものがある（特許文献１、２参照）。
【０００３】
このようなロック装置は、キャビネット本体における側板の内部に、上下方向に連続する中空空間部を形成し、この中空空間内に、上下方向を向く枢軸廻りに回動可能な作動板を配置するとともに、１つの引出し本体に取り付けた鍵装置を施錠操作して、鍵装置から出没するデッドボルトを作動板の一端に当接させることによって、作動板を回動させ、かつ作動板の他端に上下複数個所に設けたストッパ片を内方に向かって突出させることによって、上下に配置された複数の引出し本体の動作を規制し、これにより、キャビネット本体内の引出しを、簡易的な構造でありながら、一括して確実に施錠することができるようになっている。
【０００４】
しかし、前記した特許文献１、２に記載のロック装置では、作動板が上下方向に長寸なものとなるため、側板の中空空間部内に作動板を取り付ける作業が煩わしいという問題があった。
【０００５】
そこで、従来では、前記した問題に鑑み、キャビネット本体における側板の内面に、上下方向を向く凹溝を形成するとともに、この凹溝の内部に、作動板を上下に移動可能に配置し、かつこの作動板から内方に向かって突設させたストッパ片を施錠位置に移動することによって、キャビネット本体内の引出しを、一括して施錠できるようにし、これにより、作動板を、キャビネット内部における側板内面からの操作によって取り付けることができるようにして、作動板の取付け時における作業性を良好にしたロック装置がある（特許文献３〜５参照）。
【０００６】
しかし、前記した特許文献３〜５に記載のロック装置は、鍵装置のデッドボルトの出没方向と、作動板の動作方向とが異なるために、キャビネット本体に、作動板と、この作動板の動作方向を変換するための変換機構部とを別個に組み付ける必要があり、良好な取付作業性を得るには至らない。
また、作動板は、キャビネット本体に合わせて上下に長寸になり、しかも、施錠強度を保持するためには、板金製のものを使用する場合が多いが、変換機構部は、形状が複雑になることから、合成樹脂製のものを使用することが多い。
このため、作動板と変換機構部との連係部分における連結や嵌合具合の調整が困難となり、鍵装置の施開錠動作を正確にかつ確実に伝達することができないばかりでなく、長期の使用によって磨耗し易く、信頼性に劣るという問題があった。
【特許文献１】特開２００７−００２５５２号公報
【特許文献２】特開平０５−２１４８６８号公報
【特許文献３】実用新案登録第２５９５１３６号公報
【特許文献４】特開２００７−１４６５７３号公報
【特許文献５】特開２００７−１６９９０８号公報
【発明の開示】
【発明が解決しようとする課題】
【０００７】
本発明は、前記の現状に鑑み、キャビネットへの取付作業性を良好にするとともに、鍵装置の施開錠動作を正確にかつ確実に伝達することができ、かつ長期使用における信頼性の向上を図ることができるようにした引出しのロック装置を提供することを目的とする。
【課題を解決するための手段】
【０００８】
上記課題は、「特許請求の範囲」の欄における各請求項に記載するように、次のような構成からなる発明によって解決される。
【０００９】
（１）  キャビネット本体内部に、複数の引出し本体を上下に配するとともに、施開錠操作に応じて、キャビネット本体の側板に沿って配置された作動板を上下に移動させ、作動板内面に突設したストッパ片を、引出し本体に設けた係止部に係脱させることによって、一括して施錠または開錠可能とした引出しのロック装置において、キャビネット側板内面に、上下方向を向く凹入溝と、この凹入溝の前方位置に形成された凹部とを有するロック装置収容空間を形成するとともに、作動板を、引出し本体の係止部に係脱可能な複数のストッパ片が内方に向かって突設された上下方向に長寸の基部と、この基部から前方に向かって延設されたアーム部とによって構成し、このアーム部に、鍵装置の施開錠操作に応じて出没する係止突片の左右方向の動作を上下方向の動作として変換して伝達する変換機構部を連係しうるように組み付け、かつ作動板、変換機構部を、前記ロック装置収容空間に内方から嵌合して、作動板を凹入溝、変換機構部を凹部にそれぞれ収容して取付けうるようにし、さらに作動板のアーム部先端の左右面を、凹部底面と変換機構部の左右方向の外側面と近接、もしくは当接させて、それらの二面間を摺動可能として挾持するとともに、変換機構部に設けた係止部を、凹部に設けた被係止部に係止することによって、変換機構部で作動板を側板内面に取り付ける。
【００１０】
（２）  上記（１）項において、作動板の基部、およびストッパ片を板金によって構成するとともに、アーム部を合成樹脂によって構成し、基部に設けた係止部に、アーム部に設けた被係止部を係止することによって、作動板を一体的に構成する。
【００１１】
（３）  上記（１）または（２）項において、収容部の凹部と凹入溝とが前後に離間して配置されているとともに、凹入溝と凹部とを連通溝で連通し、かつこの連通溝に作動板のアーム部を嵌入して、凹部内に収容された変換機構部に連係しうるようにする。
【００１２】
（４）  上記（１）〜（３）項のいずれかにおいて、変換機構部の外側面から内側面に向かって挿通孔が穿設されているとともに、この挿通孔内に、変換機構部に設けられた前後方向を向く枢軸廻りに回動可能な平板状の回動カムを配置し、かつこの回動カムに設けた突片を、作動板のアーム部先端に設けた左右方向に向く長孔に係合させて、回動カムの一側面に挿通孔内に挿入した鍵装置の係止突片を当接させることにより、施開錠時に、回動カムを回動させ、作動板のアーム部が上下動されるようにする。
【００１３】
（５）  上記（４）項において、挿通孔の前後幅と、鍵装置の係止突片の前後寸法をほぼ同寸とする。
【発明の効果】
【００１４】
本発明によると、次のような効果が奏せられる。
請求項１記載の発明によると、キャビネット側板内面に、上下方向を向く凹入溝と、この凹入溝の前方位置に形成された凹部とを有するロック装置収容空間を形成するとともに、作動板を、引出し本体の係止部に係脱可能な複数のストッパ片が内方に向かって突設された上下方向に長寸の基部と、この基部から前方に向かって延設されたアーム部とによって構成し、このアーム部に、鍵装置の施開錠操作に応じて出没する係止突片の左右方向の動作を上下方向の動作として変換して伝達する変換機構部を連係しうるように組み付け、かつ作動板、変換機構部を、ロック装置収容空間に内方から嵌合して、作動板を凹入溝、変換機構部を凹部にそれぞれ収容して取付けうるようにしてあるため、キャビネットへの取付作業性を良好にすることができるとともに、変換機構部内に、鍵装置の施開錠操作に応じて出没する係止突片の動作方向を変換する機構を集約することができ、鍵装置の施開錠動作を正確にかつ確実に伝達することができ、しかも、長期使用における信頼性の向上を図ることができる。
【００１５】
さらに、作動板のアーム部先端の左右面を、凹部底面と変換機構部の左右方向の外側面と近接、もしくは当接させて、それらの二面間を摺動可能として挾持するとともに、変換機構部に設けた係止部を、凹部に設けた被係止部に係止することによって、変換機構部で作動板を側板内面に取り付けてあるため、変換機構部と凹部のみに取付けのための加工を施すだけで良く、加工工数、コストを削減することができる。
【００１６】
請求項２記載の発明によると、作動板の基部、およびストッパ片を板金によって構成するとともに、アーム部を合成樹脂によって構成し、基部に設けた係止部に、アーム部に設けた被係止部を係止することによって、作動板を一体的に構成してあるため、変換機構部と連係する作動板のアーム部分を、複雑な構造を施すことが容易な樹脂部材で構成することができるとともに、強度を要する基部においては板金で構成することができ、長期使用における信頼性を向上させることができる。
【００１７】
請求項３記載の発明によると、収容部の凹部と凹入溝とが前後に離間して配置されているとともに、凹入溝と凹部とを連通溝で連通し、かつこの連通溝に作動板のアーム部を嵌入して、凹部内に収容された変換機構部に連係しうるようにしてあるため、引出し本体の構成や、キャビネット本体の構成が異なるキャビネットの場合であっても、作動板のアーム部および連通溝の寸法を変更することによって、それぞれの形態に合わせたロック装置を容易に取り付けることができる。
【００１８】
請求項４記載の発明によると、変換機構部の外側面から内側面に向かって挿通孔が穿設されているとともに、この挿通孔内に、変換機構部に設けられた前後方向を向く枢軸廻りに回動可能な平板状の回動カムを配置し、かつこの回動カムに設けた突片を、作動板のアーム部先端に設けた左右方向に向く長孔に係合させて、回動カムの一側面に挿通孔内に挿入した鍵装置の係止突片を当接させることにより、施開錠時に、回動カムを回動させ、作動板のアーム部が上下動されるようにしてあるため、簡易な構造でありながら、鍵装置の施開錠動作を正確にかつ確実に伝達することができる。
【００１９】
請求項５記載の発明によると、挿通孔の前後幅と、鍵装置の係止突片の前後寸法をほぼ同寸としてあるため、鍵装置が備えられた引出しにおいては、変換機構部の挿通孔と鍵装置の係止突片との嵌合によっても、施錠効果を得ることができる。
【発明を実施するための最良の形態】
【００２０】
以下、本発明を図面に基づいて説明する。
図１は、本発明における一実施形態の引出しのロック装置を備えたキャビネットの正面図、図２は、キャビネット本体から引出し本体を取外した状態をもって示す、図１におけるＩＩ−ＩＩ線の縦断面図、図３は、図２における円Ａ部の要部拡大側面図、図４は、ロック装置のキャビネット本体への取付状態を示す要部拡大分解斜視図、図５は、ロック装置の開錠状態をもって示す、図３におけるＶ−Ｖ線の要部拡大縦断面図、図６は、同じく、図３におけるＶＩ−ＶＩ線の要部拡大縦断面図、図７は、同じく、ロック装置の施錠状態を示す要部拡大縦断面図である。
なお、図面において、キャビネットの側板に対し、キャビネットにおける左右方向の中央寄りを「内方」とし、外側寄りを「外方」として説明する。
【００２１】
本発明の引出しのロック装置を備えたキャビネットは、図１に示すように、キャビネット本体１内に、上から順に上段台引出し２Ａ、中段ファイル引出し２Ｂ、下段ファイル引出し２Ｃを上下に複数段に配された多段式の引出し本体２を備えている。
【００２２】
引出し本体２は、図２に示すように、キャビネット本体１内において、左右両側板３の内面３ａに沿って設けられた前後方向を向く左右１対の支持レール４によって支持されているとともに、上段台引出し２Ａは、前後方向に自由に引出し可能になっている。
また、中段ファイル引出し２Ｂ、下段ファイル引出し２Ｃの一方の側面には、後記するロック装置１０のストッパ片１８と係脱可能な係止部５が、それぞれ外方に向かって設けられている。
【００２３】
引出し本体２における中段ファイル引出し２Ｂの前面には、鍵装置６が取り付けられている。
この鍵装置６は、シリンダ錠７からなるとともに、このシリンダ錠７の施開錠操作によって、引出しの収容状態において、中段ファイル引出し２Ｂと下段ファイル引出し２Ｃとが一括して施開錠可能となるようになっている。
【００２４】
すなわち、鍵装置６には、施開錠時における図示しない鍵の回動操作によって左右方向に連動する係止突片８が、中段ファイル引出し２Ｂの後面に臨ませたシリンダ錠７に設けられている。
この係止突片８は、その左右方向の動作を、キャビネット本体１内における一方の側板３の内面前方に上下に配設した補強材としての前柱９に取り付けたロック装置１０に連係させることにより、中段ファイル引出し２Ｂ、下段ファイル引出し２Ｃの施開錠が一括して行われるようになっている。
【００２５】
ロック装置１０は、図３、図４に示すように、作動板１１と変換機構部１２とにより構成されている。
作動板１１は、上下方向に長寸の板金からなる横断面内向きコ字状の基部１３と、この基部１３から前方に向かって延設された合成樹脂からなるアーム部１４とからなるとともに、基部１３内にアーム部１４の後端部に形成した嵌入部１５を嵌入させ、かつ基部１３の後壁に設けた係止孔１６に、嵌入部１５の係止爪１７を係止させることによって、基部１３とアーム部１４とが一体的に構成されている。
【００２６】
基部１３には、引出し本体２の中段ファイル引出し２Ｂ、下段ファイル引出し２Ｃの係止部５に係脱可能な複数のストッパ片１８が、内方に向かって一体に切り起こすことにより突設されている。
【００２７】
アーム部１４における前端部の先端１４ａには、左右方向に向く長孔１９が設けられているとともに、この長孔１９には、鍵装置６の施開錠操作に応じて出没する係止突片８の左右方向の動作を上下方向の動作として変換して伝達する変換機構部１２が連係しうるように係合させて組み付けられている。
【００２８】
変換機構部１２は、図５、図６に示すように、ハウジング２０内に、左右方向の外側面２０ａから内側面２０ｂに向かって貫通させた挿通孔２１が穿設されている。
この挿通孔２１には、鍵装置６における係止突片８の遊端面８ａが挿入されるとともに、図４に示すように、その前後幅Ｗ1と、鍵装置６の係止突片８の前後寸法Ｗ2とがほぼ同寸に形成されている。
【００２９】
挿通孔２１の内部には、前後方向を向く枢軸２２の廻りに回動可能な平板状の回動カム２３が配置されている。
この回動カム２３は、垂直な側面２３ａと水平な下面２３ｂとからな正面視扇形状に形成されているとともに、図５、図６に示す開錠状態において、垂直な側面２３ａには、鍵装置６における係止突片８の遊端面８ａが対向して近接しうるように配置されている。
【００３０】
回動カム２３には、作動板１１におけるアーム部１４の先端１４ａに向けて後方に突出する突片２４が設けられている。
この突片２４は、回動カム２３の回動により、ハウジング２０内に形成した円弧状の案内壁２５に沿って摺動しうるように案内されて、アーム部先端１４ａに設けた長孔１９に係合しうるようになっている。
【００３１】
キャビネット本体１内における側板３の内面前方に設けた前柱９には、作動板１１の基部１３が上下方向に摺動可能に嵌入されて収容される凹入溝２６と、この凹入溝２６の前方位置に前後に離間して配置され、かつ前記変換機構部１２が嵌入されて収容される凹部２７とのロック装置収容空間がそれぞれ形成されている。
凹入溝２６と凹部２７とは、連通溝２８によって連通されているとともに、この連通溝２８には、作動板１１の基部１３から前方に延設したアーム部１４が内方から嵌入されて収容されるようになっている。
【００３２】
アーム部１４が嵌入される連通溝２８の底部側には、上下に縦長の案内溝２９が連通させて形成されているとともに、この案内溝２９は、連通溝２８に嵌入されたアーム部１４を上下方向に移動可能に案内しうるようになっている。
【００３３】
アーム部１４における先端１４ａの左右面は、凹部２７の底面２７ａと変換機構部１２におけるハウジング２０の外側面２０ａと近接、もしくは当接させて、それらの二面２７ａ、２０ａ間を摺動可能として挾持するとともに、ハウジング２０の上下にそれぞれ設けた係止部となる係止爪３０を、凹部２７における被係止部となる上下両開口端縁３１にそれぞれ係止することによって、変換機構部１２でもって作動板１１が側板３における前柱９の内面９ａに取り付けられるようになっている。
【００３４】
作動板１１、変換機構部１２は、キャビネット本体１内における側板３の内面前方に設けた前柱９の凹入溝２６、凹部２７のロック装置収容空間に向けて、それぞれ内方から嵌合させて取り付けることが可能になっているとともに、凹入溝２６に収容された作動板１１の基部１３が、アーム部１４を介して、凹部２７内に収容された変換機構部１２に連係しうるようになっている。
【００３５】
作動板１１の基部１３と前柱９の凹入溝２６との間には、圧縮スプリング３２が設けられているとともに、この圧縮スプリング３２の上端を、図４に示すように、凹入溝２６の内底面に内方に向けて切起し突設した連結片３３ａに連結し、その下端を、基部１３に外方に向けて切起し突設した連結片３３ｂに連結することにより、作動板１１が開錠方向となる上方に向けて付勢されるようになっている。
【００３６】
次に、本実施形態におけるロック装置１０の施開錠動作を説明する。
ロック装置１０の開錠状態においては、図５、図６に示すように、変換機構部１２におけるハウジング２０の挿通孔２１内に挿入された鍵装置６の係止突片８を、回動カム２３の一側面２３ａに対向しうるように位置させる。
この場合、作動板１１の基部１３は、圧縮スプリング３２の付勢力によって、基部１３に設けたストッパ片１８が、図２に示すように、引出し本体２におけるファイル引出し２Ｂ、２Ｃの係止部５から離脱した、上方の待機位置に停止した状態に維持されている。
【００３７】
この状態で、鍵装置６のシリンダ錠７を、図示しない鍵でもって、右回りの回動によって施錠操作すると、変換機構部１２の挿通孔２１内に挿入した鍵装置６の係止突片８の遊端面８ａが、図７に示すように、左方に向けて前進移動して、回動カム２３の一側面２３ａに当接し、回動カム２３が、枢軸２２を中心に反時計回りに回動される。
この回動カム２３の回動は、作動板１１におけるアーム部１４の先端１４ａに設けた長孔１９に係合する突片２４によって、アーム部１４に伝達され、アーム部１４を下方に向けて可動させると同時に、アーム部１４と一体に組み付けた基部１３が、圧縮スプリング３２の付勢力に抗して、下方に向けて摺動する。
これにより、基部１３に設けたストッパ片１８が、引出し本体２におけるファイル引出し２Ｂ、２Ｃに設けた係止部５に係止され、キャビネット本体１における引出し本体２の一括施錠が行われる。
【００３８】
また、この施錠状態から開錠する際には、鍵装置６のシリンダ錠７を、前記の施錠操作と逆にして、左回りに回動させることにより、係止突片８の遊端面８ａを右方に向けて後退移動させると、回動カム２３は、圧縮スプリング３２の付勢力による作動板１１における基部１３の上方への移動によって、時計回りに回動する。
これにより、基部１３のストッパ片１８が、引出し本体２におけるファイル引出し２Ｂ、２Ｃに設けた係止部５から離脱され、キャビネット本体１における引出し本体２の一括開錠が行われる。
【図面の簡単な説明】
【００３９】
【図１】本発明における一実施形態の引出しのロック装置を備えたキャビネットの正面図である。
【図２】キャビネット本体から引出し本体を取外した状態をもって示す、図１におけるＩＩ−ＩＩ線の縦断面図である。
【図３】図２における円Ａ部の要部拡大側面図である。
【図４】ロック装置のキャビネット本体への取付状態を示す要部拡大分解斜視図である。
【図５】ロック装置の開錠状態をもって示す、図３におけるＶ−Ｖ線の要部拡大縦断面図である。
【図６】同じく、図３におけるＶＩ−ＶＩ線の要部拡大縦断面図である。
【図７】同じく、ロック装置の施錠状態を示す要部拡大縦断面図である。
【符号の説明】
【００４０】
１    キャビネット本体
２    引出し本体
２Ａ  上段台引出し
２Ｂ  中段ファイル引出し
２Ｃ  下段ファイル引出し
３    側板
３ａ  内面
４    支持レール
５    係止部
６    鍵装置
７    シリンダ錠
８    係止突片
８ａ  遊端面
９    前柱
９ａ  内面
１０  ロック装置
１１  作動板
１２  変換機構部
１３  基部
１４  アーム部
１４ａ  先端
１５  嵌入部
１６  係止孔
１７  係止爪
１８  ストッパ片
１９  長孔
２０  ハウジング
２０ａ  外側面
２０ｂ  内側面
２１  挿通孔
２２  枢軸
２３  回動カム
２３ａ  側面
２３ｂ  下面
２４  突片
２５  案内壁
２６  凹入溝
２７  凹部
２７ａ  底面
２８  連通溝
２９  案内溝
３０  係止爪
３１  開口端縁
３２  圧縮スプリング
３３ａ  連結片
３３ｂ  連結片
Ｗ1  挿通孔の前後幅
Ｗ2  係止突片の前後寸法
【図１】
0005243074.tif 000002
【図２】
0005243074.tif 000003
【図３】
0005243074.tif 000004
【図４】
0005243074.tif 000005
【図５】
0005243074.tif 000006
【図６】
0005243074.tif 000007
【図７】
0005243074.tif 000008